(57)【要約】【課題】広告効率の向上を図ることができるとともに、更なる携帯端末の普及を促進することができる携帯端末を提供する。【解決手段】画面に情報を表示する表示手段と、携帯端末本体を駆動し、その際に必要な情報を前記画面に表示するメインシステムと、画面に広告情報を表示する広告システムと、起動指示を受け付ける起動受付手段と、起動指示が受け付けられたとき、メインシステム及び広告システムの双方を起動させる起動手段と、画面を少なくとも第１の表示領域と第２の表示領域に区分する区分手段と、メインシステムにより表示される情報を第１の表示領域に、広告システムにより表示される広告情報を第２の表示領域にそれぞれ表示させる表示制御手段と、を備えた。【選択図】  図３
2011023896.tif 000002
【特許請求の範囲】
【請求項１】
画面に情報を表示する表示手段と、
携帯端末本体を駆動し、その際に必要な情報を前記画面に表示するメインシステムと、
前記画面に広告情報を表示する広告システムと、
起動指示を受け付ける起動受付手段と、
前記起動受付手段により起動指示が受け付けられたとき、前記メインシステム及び広告システムの双方を起動させる起動手段と、
前記起動受付手段により起動指示が受け付けられたとき、前記画面を少なくとも第１の表示領域と第２の表示領域に区分する区分手段と、
前記起動手段により前記双方のシステムが起動されたとき、前記メインシステムにより表示される情報を前記第１の表示領域に、前記広告システムにより表示される広告情報を前記第２の表示領域にそれぞれ表示させる表示制御手段と、
を備えたことを特徴とする携帯端末。
【請求項２】
前記起動受付手段により起動指示が受け付けられたとき、前記広告情報を提供する外部サーバに対して広告情報を要求するとともに、この外部サーバから広告情報を受信する通信手段を備え、
前記表示制御手段は、前記通信手段により受信された広告情報を前記第２の表示領域に表示させることを特徴とする請求項１記載の携帯端末。
【請求項３】
前記広告情報のカテゴリを選択させるためのカテゴリ選択部を前記第２の表示領域の一部に表示させるカテゴリ選択手段を備え、
前記通信手段は、前記カテゴリがカテゴリ選択手段により選択されたとき、その選択されたカテゴリの広告情報を要求する要求信号を前記外部サーバに送信し、前記外部サーバからそのカテゴリに属する広告情報を受信することを特徴とする請求項２記載の携帯端末。
【請求項４】
前記広告情報を記憶する記憶手段を備え、
前記表示制御手段は、前記通信手段により広告情報が受信できなかったとき、前記記憶手段により記憶された広告情報を前記第２の表示領域に表示させることを特徴とする請求項２または３記載の携帯端末。
【請求項５】
前記表示手段は、複数の表示装置により構成されていて、
前記区分手段は、前記複数の表示装置の各々について、第１の表示領域及び第２の表示領域に区分することを特徴とする請求項１記載の携帯端末。
【請求項６】
画面を有する携帯端末と、広告情報を提供する広告情報提供サーバとを備えた広告提供システムであって、
前記携帯端末は、
前記画面に情報を表示させる表示手段と、
起動指示を受け付ける起動受付手段と、
前記起動受付手段により起動指示が受け付けられたとき、携帯端末本体を駆動し、その際に必要な情報を前記画面に表示させるメインシステムと前記画面に広告情報を表示させる広告システムの双方を起動させる起動手段と、
前記起動受付手段により起動指示が受け付けられたとき、前記画面を少なくとも第１の表示領域と第２の表示領域に区分する区分手段と、
前記起動手段により前記広告システムが起動されたとき、前記広告情報提供サーバに対して広告情報の要求信号を送信するとともに、前記広告情報提供サーバから広告情報を受信する通信手段と、
前記起動手段により前記双方のシステムが起動されたとき、前記メインシステムにより表示される情報を前記第１の表示領域に、前記広告システムにより表示される広告情報であって前記通信手段により受信された広告情報を前記第２の表示領域にそれぞれ表示させる表示制御手段とを備え、
前記広告情報提供サーバは、
前記携帯端末から要求信号を受信する受信手段と、
前記受信手段により要求信号が受信されたとき、前記携帯端末に対して広告情報を送信する送信手段とを備えたことを特徴とする広告提供システム。
【請求項７】
前記携帯端末は、広告情報のカテゴリを選択させるためのカテゴリ選択部を前記第２の表示領域の一部に表示させるカテゴリ選択手段を備え、
前記携帯端末の通信手段は、前記カテゴリ選択手段により選択されたとき、選択されたカテゴリ情報を前記広告情報提供サーバに送信する一方、前記広告提供サーバからそのカテゴリに属する広告情報を受信する手段を有し、
前記広告情報提供サーバは、広告情報とそのカテゴリ情報とをそれぞれ対応付けて記憶する記憶手段を備え、
前記広告情報提供サーバの受信手段は、前記携帯端末からカテゴリ選択情報を受信し、
前記広告提供サーバの送信手段は、前記カテゴリ情報に対応する広告情報を前記記憶手段から取得して、この広告情報を前記携帯端末に送信することを特徴とする請求項６記載の広告提供システム。
【請求項８】
起動指示を受け付ける起動受付ステップと、
前記起動受付ステップにて起動指示が受け付けられたとき、携帯端末本体を駆動し、その際に必要な情報を画面に表示するメインシステム前記画面に広告情報を表示する広告システムの双方を起動させる起動ステップと、
前記起動受付ステップにて起動指示が受け付けられたとき前記画面を少なくとも第１の表示領域と第２の表示領域に区分する区分ステップと、
前記起動ステップにて前記双方のシステムが起動されたとき、前記メインシステムにより表示される情報を前記第１の表示領域に、前記広告システムにより表示される広告情報を前記第２の表示領域にそれぞれ表示させる表示制御ステップと、
を有することを特徴とする携帯端末の広告提供方法。
【請求項９】
前記起動受付ステップにて起動指示が受け付けられたとき、前記広告情報を提供する外部サーバに対して広告情報を要求するとともに、この外部サーバから広告情報を受信する通信ステップを有し、
前記表示制御ステップにて、前記通信ステップにて受信された広告情報を前記第２の表示領域に表示させることを特徴とする請求項８記載の携帯端末の広告提供方法。
【請求項１０】
画面を有する携帯端末と、広告情報を提供する広告情報提供サーバとを備えた広告提供システムの広告提供方法であって、
前記携帯端末は、
起動指示を受け付ける起動受付ステップと、
前記起動受付ステップにて起動指示が受け付けられたとき、前記携帯端末本体を駆動し、その際に必要な情報を前記画面に表示させるメインシステム前記画面に広告情報を表示させる広告システムの双方を起動させる起動ステップと、
前記起動受付ステップにて起動指示が受け付けられたとき、前記画面を少なくとも第１の表示領域と第２の表示領域に区分する区分ステップと、
前記起動ステップにて前記広告システムが起動されたとき、前記広告情報提供サーバに対して広告情報の要求信号を送信するとともに、前記広告情報提供サーバから広告情報を受信する通信ステップと、
前記起動ステップにて前記双方のシステムが起動されたとき、前記メインシステムにより表示される情報を前記第１の表示領域に、前記広告システムにより表示される広告情報であって前記通信ステップにて受信された広告情報を前記第２の表示領域にそれぞれ表示させる表示制御手段とを有し、
前記広告情報提供サーバは、
前記携帯端末から要求信号を受信する受信ステップと、
前記受信ステップにて要求信号が受信されたとき、前記携帯端末に対して広告情報を送信する送信ステップとを有することを特徴とする広告提供システムの広告提供方法。
【発明の詳細な説明】
【技術分野】
【０００１】
本発明は、メインシステムの画面を表示する際に、この画面に併せて広告を表示することができる携帯端末、広告提供システム、携帯端末の広告提供方法及び広告提供システムの広告提供方法に関する。
【背景技術】
【０００２】
携帯端末を広く普及させるために、携帯端末の製造会社や通信会社が自社サービスの通信網を利用することを条件として購入費用を半分以上負担して、端末を安く販売することが行われてきたが、やはり大半の携帯端末は高額であり、個人が手軽に購入するには躊躇してしまうという問題があった。一方、近年、携帯電話機などの携帯端末において、ＯＳ（Ｏｐｅｒａｔｉｎｇ  Ｓｙｓｔｅｍ）の制御に基づいて表示される画面が主にディスプレイに表示されるのが一般的であった。そこで、携帯端末のディスプレイに強制的に広告を表示させることを条件として、広告会社に購入費用を負担してもらうことによって、安く携帯端末を販売することが考えられる。携帯端末のユーザにとっても、携帯端末においてユーザの趣味嗜好に合致した広告が表示されることで、常に最新情報を得て所望の商品を購入することができるという利点がある。
【０００３】
携帯端末に広告を表示する方法として、例えば、サーバが、携帯端末のユーザのニーズに適合して、かつユーザが今いる場所に関連する広告をその携帯端末に送信することにより、携帯端末ユーザには有用で、広告提供者には寄与度が高い広告を提供することができる方法が提案されている（特許文献１参照）。この方法は、サーバが広告の中からそのユーザのニーズ等に関連する広告を選出し、更にその中から携帯端末の位置情報に関連する広告を選別して携帯端末に送信し、携帯端末がこれを受信して表示するものである。
【先行技術文献】
【特許文献】
【０００４】
【特許文献１】特開２００９−１０００５７号公報
【発明の概要】
【発明が解決しようとする課題】
【０００５】
しかしながら、特許文献１記載の発明では、携帯端末のディスプレイに広告情報を表示させるためには、事前に広告情報機能つきのアプリケーションプログラムを携帯端末に配信しておかなければならず、また、ユーザが広告機能付きのアプリケーションプログラムを起動させる必要があった。このために、広告効率が低いという問題が発生していた。
【０００６】
上述したように携帯端末は高額であるため、生活において非常に便利に使用されるのにも関わらず販売台数が低迷してきている。携帯端末が安価に販売されるようになれば、携帯端末を通して多くの情報がやり取りされて、人々の生活に多大な利便をもたらすことができる。また、携帯端末が常に最新の広告情報を取得してユーザに対して提供できることがユーザにとっても有益である。
【０００７】
本発明は、上記課題を鑑みなされたもので、広告効率の向上を図ることができるとともに、更なる携帯端末の普及を促進することができる携帯端末、広告提供システム、携帯端末の広告提供方法及び広告提供システムの広告提供方法を提供することを目的とする。
【課題を解決するための手段】
【０００８】
上記課題を解決するために、本発明に係る携帯端末は、携帯端末本体を駆動し、その際に必要な情報を前記画面に表示するメインシステムと、前記画面に広告情報を表示する広告システムと、起動指示を受け付ける起動受付手段と、前記起動受付手段により起動指示が受け付けられたとき、前記メインシステム及び広告システムの双方を起動させる起動手段と、前記起動受付手段により起動指示が受け付けられたとき、前記画面を少なくとも第１の表示領域と第２の表示領域に区分する区分手段と、前記起動手段により前記双方のシステムが起動されたとき、前記メインシステムにより表示される情報を前記第１の表示領域に、前記広告システムにより表示される広告情報を前記第２の表示領域にそれぞれ表示させる表示制御手段と、を備えたことを特徴とする。
【０００９】
また、本発明に係る広告提供システムは、画面を有する携帯端末と、広告情報を提供する広告情報提供サーバとを備えた広告提供システムであって、前記携帯端末は、前記画面に情報を表示させる表示手段と、起動指示を受け付ける起動受付手段と、前記起動受付手段により起動指示が受け付けられたとき、携帯端末本体を駆動し、その際に必要な情報を前記画面に表示させるメインシステムと前記画面に広告情報を表示させる広告システムの双方を起動させる起動手段と、前記起動受付手段により起動指示が受け付けられたとき、前記画面を少なくとも第１の表示領域と第２の表示領域に区分する区分手段と、前記起動手段により前記広告システムが起動されたとき、前記広告情報提供サーバに対して広告情報の要求信号を送信するとともに、前記広告情報提供サーバから広告情報を受信する通信手段と、前記起動手段により前記双方のシステムが起動されたとき、前記メインシステムにより表示される情報を前記第１の表示領域に、前記広告システムにより表示される広告情報であって前記通信手段により受信された広告情報を前記第２の表示領域にそれぞれ表示させる表示制御手段とを備え、前記広告情報提供サーバは、前記携帯端末から要求信号を受信する受信手段と、前記受信手段により要求信号が受信されたとき、前記携帯端末に対して広告情報を送信する送信手段とを備えたことを特徴とする。
【００１０】
また、本発明に係る携帯端末の広告提供方法は、起動指示を受け付ける起動受付ステップと、前記起動受付ステップにて起動指示が受け付けられたとき、携帯端末本体を駆動し、その際に必要な情報を画面に表示するメインシステム前記画面に広告情報を表示する広告システムの双方を起動させる起動ステップと、前記起動受付ステップにて起動指示が受け付けられたとき前記画面を少なくとも第１の表示領域と第２の表示領域に区分する区分ステップと、前記起動ステップにて前記双方のシステムが起動されたとき、前記メインシステムにより表示される情報を前記第１の表示領域に、前記広告システムにより表示される広告情報を前記第２の表示領域にそれぞれ表示させる表示制御ステップと、を有することを特徴とする。
【００１１】
また、本発明に係る広告提供システムの広告提供方法は、画面を有する携帯端末と、広告情報を提供する広告情報提供サーバとを備えた広告提供システムの広告提供方法であって、前記携帯端末は、起動指示を受け付ける起動受付ステップと、前記起動受付ステップにて起動指示が受け付けられたとき、前記携帯端末本体を駆動し、その際に必要な情報を前記画面に表示させるメインシステム前記画面に広告情報を表示させる広告システムの双方を起動させる起動ステップと、前記起動受付ステップにて起動指示が受け付けられたとき、前記画面を少なくとも第１の表示領域と第２の表示領域に区分する区分ステップと、前記起動ステップにて前記広告システムが起動されたとき、前記広告情報提供サーバに対して広告情報の要求信号を送信するとともに、前記広告情報提供サーバから広告情報を受信する通信ステップと、前記起動ステップにて前記双方のシステムが起動されたとき、前記メインシステムにより表示される情報を前記第１の表示領域に、前記広告システムにより表示される広告情報であって前記通信ステップにて受信された広告情報を前記第２の表示領域にそれぞれ表示させる表示制御手段とを有し、前記広告情報提供サーバは、前記携帯端末から要求信号を受信する受信ステップと、前記受信ステップにて要求信号が受信されたとき、前記携帯端末に対して広告情報を送信する送信ステップとを有することを特徴とする。
【発明の効果】
【００１２】
本発明に係る携帯端末、広告提供システム、携帯端末の広告提供方法及び広告提供システムの広告提供方法によれば、広告効率の向上を図ることができるとともに、更なる携帯端末の普及を促進することができることができることが可能である。
【図面の簡単な説明】
【００１３】
【図１】本発明に係る広告提供システムを示すシステム構成図。
【図２】（Ａ）は、本発明に係る携帯端末を正面側から見た状態を示す斜視図、（Ｂ）は、本発明に係る携帯端末を背面側から見た状態を示す斜視図。
【図３】本発明に係る広告提供システムが携帯端末に広告情報を提供する方法を説明するための概略図。
【図４】（Ａ）は、本発明に係る広告提供システムにおいて、携帯端末がメインシステムの画面データとアドシステムの画面データとをほぼ同時に表示した場合の第１のディスプレイの表示画面を示す画面図、（Ｂ）は、本発明に係る広告提供システムにおいて、携帯端末がメインシステムの画面データとアドシステムの画面データとをほぼ同時に表示した場合の第２のディスプレイの表示画面を示す画面図。
【図５】本発明に係る携帯端末の機能を示すブロック図。
【図６】本発明に係る広告提供システムが有する広告提供サーバの機能を示すブロック図。
【図７】端末リスト情報を示すデータ構成図。
【図８】広告提供情報を示すデータ構成図。
【図９】本発明に係る携帯端末が広告表示制御処理を行う際の手順を示すフローチャート。
【図１０】（Ａ）乃至（Ｄ）は、本発明に係る広告提供システムにおいて広告を提示する際の携帯端末に表示される画面を示す画面遷移図。
【図１１】本発明に係る携帯端末がアドシステム起動処理を行う際の手順を示すフローチャート。
【図１２】本発明に係る広告提供システムにおいて広告提供サーバが広告提供処理を行う際の手順を示すフローチャート。
【図１３】本発明に係る携帯端末が広告操作制御処理を行う際の手順を示すフローチャート。
【図１４】本発明に係る広告提供システムにおいて広告提供サーバが広告提供処理を行う際の手順を示すフローチャート。
【図１５】本発明に係る広告提供システムにおいて広告提供サーバが購入制御処理を行う際の手順を示すフローチャート。
【図１６】本発明に係る広告提供システムにおいて、携帯端末がメインシステムの画面データとアドシステムの画面データとを同時に表示した場合の第１のディスプレイの表示画面を示す画面図。
【発明を実施するための形態】
【００１４】
本発明に係る携帯端末、携帯端末を用いた広告提供システム、及び携帯端末、広告提供システムの広告提供方法の実施形態について、添付図面に基づいて説明する。図１は、本発明に係る広告提供システム１００を示すシステム構成図である。図１に示すように、広告提供システム１００は、広告を受信して表示する携帯端末１、広告を提供する広告提供サーバ２を備えている。
【００１５】
なお、携帯端末１として、第１のディスプレイ１３ａ、第２のディスプレイ１３ｂの２面のディスプレイを備えた電話機能を備えた携帯端末を例に挙げて説明する。図２（Ａ）は、携帯端末１を正面側から見た状態を示す斜視図であり、図２（Ｂ）は、携帯端末１を背面側から見た状態を示す斜視図である。図２（Ａ）及び図２（Ｂ）に示すように、携帯端末１には、使用状態における正面側（ユーザと対面する側）に操作キー１２ａが設けられているとともに、第１のディスプレイ１３ａが使用状態において正面側に位置するように、第２のディスプレイ１３ｂが使用状態に置いて背面側に位置するように設けられている。
【００１６】
広告提供システム１００は、例えばインターネットやＷＡＮ（Ｗｉｄｅ  Ａｒｅａ  Ｎｅｔｗｏｒｋ）などの通信回線網であるネットワーク３を備えていて、広告提供サーバ２がこのネットワーク３に例えば有線接続されている。また、ネットワーク３は複数のアクセスポイント３ａを備えていて、携帯端末１は、近隣のアクセスポイント３ａに例えば無線接続されることによりネットワーク３に接続して、このネットワーク３を介して広告提供サーバ２に対して通信を行う。
【００１７】
携帯端末１は、ネットワーク４に接続されている。ネットワーク４は、例えば一般に普及している携帯電話通信網などの通信回線網であり、サービス提供エリア内において所定区域毎に基地局４ａが設けられている。携帯端末１は近隣の基地局４ａに無線接続することにより、ネットワーク４を介して他の通信機器と音声通信やデータ通信を行うことができる。また、ネットワーク４には多数のウェブサーバ５が例えば有線接続されていて、携帯端末１は近隣の基地局４ａに無線接続することにより、ネットワーク４を介してウェブサーバ５から様々な情報の提供を受けることができる。なお、ネットワーク３が携帯電話通信網であって、ネットワーク３とネットワーク４とが同一の通信回線網であっても構わない。
【００１８】
図３は、携帯端末１が広告提供サーバ２から広告情報を受信して、ユーザに対して広告を提示する方法を説明するための概略図である。  
（１）まず、図３に示すように、携帯端末１の図示省略のパワースイッチがユーザによりオン操作されると、このオン操作をユーザによる起動指示の一例として携帯端末１が起動される。すると、携帯端末１において、ＯＳ（Ｏｐｅｒａｔｉｎｇ  Ｓｙｓｔｅｍ）などのメインシステムのプログラムが起動されるとともに、画面に広告情報を表示するアドシステム（広告システム）のプログラムが起動される。  
（２）次に、アドシステムは、広告提供サーバ２に対して端末を特定するための端末ＩＤ情報を送信する。  
（３）端末ＩＤ情報を受信した広告提供サーバ２は、予め記憶されている複数の広告情報の中から、端末ＩＤ情報に基づいて最適な広告情報を選択する。  
（４）そして広告提供サーバ２は、選択された広告情報を携帯端末１に対して送信する。  
（５）携帯端末１は、メインシステムの画面データとアドシステムの画面データとを同一画面上にほぼ同時に表示する。
【００１９】
なお、メインシステムは、例えばＯＳであり、ＰＣ１の本体を駆動し、その際に必要な情報をディスプレイ１４に表示させるシステムである。アドシステムは、ネットワーク３を介して広告情報を取得てしてディスプレイ１４に表示させるシステムである。
【００２０】
図４（Ａ）は、広告提供システム１００において、携帯端末１がメインシステムにより生成された画面データ（情報）とアドシステムにより生成された画面データ（情報）とをほぼ同時に表示した場合の第１のディスプレイ１３ａの表示画面を示す画面図であり、図４（Ｂ）は、携帯端末１がメインシステムにより生成された画面データとアドシステムにより生成された画面データとをほぼ同時に表示した場合の第２のディスプレイ１３ｂの表示画面を示す画面図である。図４（Ａ）に示すように、第１のディスプレイ１３ａはメインシステム用の表示領域１８ｂとアドシステム用の表示領域１８ｃとに区分されるとともに、メインシステム用の表示領域１８ｂにはメインシステムにより生成された画面が表示され、アドシステム用の表示領域１８ｃにはアドシステムにより生成された画面が表示される。また、図４（Ｂ）に示すように、第２のディスプレイ１３ｂは全体がアドシステム用の表示領域に設定され、このアドシステム用の表示領域１８ｃにはアドシステムにより生成された画面が表示される。
【００２１】
図５は、携帯端末１の機能を示すブロック図である。携帯端末１は、例えば一般家庭に普及している携帯電話機などであり、図５に示すように、制御部１０、電源回路部１１、操作入力制御部１２、表示制御部１３、音声制御部１４、第１の通信制御部１５、第２の通信制御部１６及び記憶部１７を備えていて、これらはバスブリッジやコントローラ等により相互に通信可能に接続されている。
【００２２】
制御部１０は、ＣＰＵ（Ｃｅｎｔｒａｌ  Ｐｒｏｃｅｓｓｉｎｇ  Ｕｎｉｔ）を具備し、携帯端末１の総括的な制御を行うとともに、ユーザによる携帯端末１の起動指示を受け付ける例えばパワースイッチなどの起動受付手段と、この起動受付手段により起動指示が受け付けられたとき、メインシステム及びアドシステムの双方を起動させる起動手段と、ディスプレイ１３ａ、１３ｂの表示画面を少なくとも第１の表示領域と第２の表示領域に区分する区分手段と、メインシステムにより表示される情報を第１の表示領域に、アドシステムにより表示される広告情報を第２の表示領域にそれぞれ表示させる表示制御手段と、を具備している。また、制御部１０は、アドシステムの制御により、起動受付手段により起動指示が受け付けられたときに広告提供サーバ２に対して広告情報を要求するとともに、この広告提供サーバ２から広告情報を受信する通信手段を備えていて、これらの手段により広告表示制御処理などの様々な処理を行う。
【００２３】
電源回路部１１は、電源供給源（バッテリ等）を備え、例えば所定の操作キー１２ａを介した入力に基づいて携帯端末１の電源のＯＮ／ＯＦＦ状態を切り替え、電源がＯＮ状態の場合に電力供給源から各部に対して電力を供給して、携帯端末１を動作可能にする。
【００２４】
操作入力制御部１２は操作キー１２ａに対する入力インタフェースを備えていて、操作キー１２ａが押下されたことを検知すると、その押下された操作キー１２ａを示す信号を生成して制御部１０に伝送する。信号を受信した制御部１０は、この信号に対応する処理を行う。表示制御部１３は第１のディスプレイ１３ａ、第２のディスプレイ１３ｂに対する表示インタフェースを備え、主制御部１０の制御に基づいて、画面データを生成して第１のディスプレイ１３ａまたは第２のディスプレイ１３ｂに表示させる。
【００２５】
音声制御部１４は、制御部１０の制御に基づいて、マイクロフォン１４ａで集音された音声からアナログ音声信号を生成し、このアナログ音声信号をデジタル音声信号に変換する。また音声制御部１４は、デジタル音声信号を取得すると、制御部１０の制御に基づいて、このデジタル音声信号をアナログ音声信号に変換し、スピーカ１４ｂから音声として出力する。
【００２６】
第１の通信制御部１５は、通信回線網であるネットワーク３のアクセスポイント３ａに対して電波を送受信するためのアンテナ１５ａ、ネットワーク３に対する通信インタフェースを備えている。第１の通信制御部１５は、制御部１０の制御に基づいて、例えばアンテナ１５ａを介して受信した受信信号からデータを復元して、このデータをメモリ１２や記憶装置１３に記憶する。また第１の通信制御部１５は、制御部１０の指示により、記憶部１３に記憶されたデータを取得すると、これらのデータをアンテナ１５ａを介してアクセスポイント３ａに対して送信する。
【００２７】
第２の通信制御部１６は、通信回線網であるネットワーク４のアクセスポイント４ａに対して電波を送受信するためのアンテナ１６ａ、ネットワーク４に対する通信インタフェースを備えていて、制御部１０の制御に基づいて、基地局からアンテナ１６ａを介して受信した受信信号をスペクトラム逆拡散処理してデータを復元する。このデータは、制御部１０の指示により、音声制御部１４に伝送されてスピーカ１４ｂから出力されたり、表示制御部１３に伝送されて第１のディスプレイ１３ａまたは第２のディスプレイ１３ｂに表示されたり、または記憶部１７に記録されたりする。また第２の通信制御部１６は、制御部１０の制御に基づいて、マイクロフォン１４ａで集音された音声データや、操作キー１２ａを介して入力されたデータや記憶部１７に記憶されたデータを取得すると、これらのデータに対してスペクトラム拡散処理を行い、基地局に対してアンテナ１６ａを介して送信する。
【００２８】
記憶部１７は、制御部１０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、主制御部１０が処理を行う際に使用されるデータを一時的に記憶するＲＡＭ（Ｒａｎｄｏｍ  Ａｃｃｅｓｓ  Ｍｅｍｏｒｙ）等の記憶装置を具備し、ＯＳ（Ｏｐｅｒａｔｉｎｇ  Ｓｙｓｔｅｍ）などのメインシステムのプログラム１７ａや、広告情報を表示させるアドシステムのプログラム１７ｂ、及び制御部１０が有する起動手段や区分手段などを実現するためのプログラムやデータが記憶されている。
【００２９】
図６は、広告提供サーバ２の機能を示すブロック図である。広告提供サーバ２は、図６に示すように、少なくとも制御部２１、メモリ２２、記憶部２３、通信制御部２４を備えていて、これらはバスブリッジやコントローラ等により相互に通信可能に接続されている。
【００３０】
制御部２１はＣＰＵを具備し、広告提供サーバ２を総括的に制御するとともに、後述するアドシステムのプログラムにより駆動される広告提供処理や、その他の様々な演算処理や制御処理を行う。メモリ２２は、例えばＲＡＭを具備し、制御部２１が処理を行う際の作業領域として、一時的にデータを記憶する。記憶部２３は、ＨＤやＲＯＭ等の記憶装置を具備し、制御部２１が処理を行うためのプログラムやデータを記憶する。
【００３１】
通信制御部２４は、ネットワーク３に対する通信インタフェースを備えている。通信制御部２４は、制御部２１の制御に基づいて、ネットワーク３を介して携帯端末とデータ通信をする。
【００３２】
また、記憶部２３の端末情報記憶部２３ａは、端末リスト情報３０を記憶している。図７は、端末リスト情報３０を示すデータ構成図である。端末リスト情報３０は、図７に示すように、端末ＩＤを示す端末ＩＤ情報３１に対して、少なくとも、端末のユーザの年代を示す年代情報３２、端末のユーザの性別を示す性別情報３３、端末のユーザの趣味を示す趣味情報３４がそれぞれ対応付けられた情報である。端末ＩＤ情報３１に対応する各々の情報は、端末が登録される際にユーザによって入力された情報であっても、その端末により最後に選択された項目に基づいた情報であっても良い。
【００３３】
例えば図７に示す端末リスト情報３０によると、「０００１」の端末ＩＤ情報３１に対して、「２０代」の年代情報３２、「女」の性別情報３３、「ファッション、読書」の趣味情報３４がそれぞれ対応付けられている。広告提供サーバ２は、携帯端末１により広告情報が要求された際に例えば「０００１」の端末ＩＤを受信した場合には、「２０代」、「女」、「ファンション」、「読書」のいずれか又はすべてのカテゴリに属する広告を抽出して、携帯端末１に提供する。
【００３４】
また、記憶部２３の広告情報記憶部２３ｂは、広告リスト情報４０を記憶している。図８は、広告リスト情報４０を示すデータ構成図である。広告リスト情報４０は、図８に示すように、広告ＩＤ情報４１に対して、対象年代情報４２、対象性別情報４３、対象趣味情報４４、コンテンツ情報４５がそれぞれ対応付けられた情報である。コンテンツ情報４５は、例えばＵＲＬ（Ｕｎｉｆｏｒｍ  Ｒｅｓｏｕｒｃｅ  Ｌｏｃａｔｏｒ）で表されている。
【００３５】
例えば図８に示す広告リスト情報４０によると、「Ａ」の広告ＩＤ情報４１に対して、「２０代」の対象年代情報４２、「女」の対象性別情報４３、「ファッション」の対象趣味情報４４、「／ｋｏｕｋｏｋｕ／Ａ／ｉｎｄｅｘ．ｈｔｍｌ」のコンテンツ情報４５がそれぞれ対応付けられている。広告提供サーバ２は、携帯端末１により広告情報が要求された際に例えば「０００１」の端末ＩＤを受信した場合には、この端末ＩＤに基づいて端末リスト情報３０から「２０代」、「女」、「ファンション」、「読書」などのカテゴリを取得して、広告リスト情報４０から、これらのカテゴリのいずれか、またはこれらのカテゴリの全てに属するコンテンツ情報を抽出して、抽出されたコンテンツ情報を広告情報として携帯端末１に提供する。
【００３６】
ここで、携帯端末１は、ユーザにより起動ボタンが押下される等により起動が指示されたときに、メインシステムに併せてアドシステムを同時に起動してユーザに対して広告情報を提示する広告表示制御処理を行う。携帯端末１がこの広告表示制御処理を行う際の手順を、図９に示すフローチャート、図１０（Ａ）乃至図１０（Ｄ）に示す画面遷移図に基づいて説明する。以下、例えば「ステップＳ１０１」を「Ｓ１０１」のように「ステップ」の語句を省略して説明する。
【００３７】
なお、記憶部１３には予め所定の広告情報が記憶されているものとする。この所定の広告情報は、例えば予め時点で記憶部１３に記憶されていても良く、前回の使用時に最後に表示していた広告情報が記憶部１３に記憶されるようにしても良い。
【００３８】
まず携帯端末１の制御部１０は、起動受付手段により、ユーザにより電源が投入されたか否かを判断する（Ｓ１０１）。この際、制御部１０は、例えばパワースイッチが押下されたことに基づいて、電源が投入されたものと判断する。電源が投入されていない場合（Ｓ１０１のＮｏ）は、制御部１０はそのまま待機する。
【００３９】
電源が投入された場合（Ｓ１０１のＹｅｓ）は、制御部１０は、起動手段により、記憶部１７に記憶されているメインシステムのプログラム１７ａを起動する（Ｓ１０３）。携帯端末１においてメインシステムが起動されることにより、ユーザが携帯端末１を簡単に操作することが可能となっている。制御部１０は、起動手段により、記憶部１７に記憶されているアドシステムのプログラム１７ｂを起動する（Ｓ１０５）。アドシステムは、起動されると、広告提供サーバ２から広告情報を取得して例えば第１のディスプレイ１３ａや第２のディスプレイ１３ｂに表示させることにより、ユーザに対して広告情報を提示するシステムである。このアドシステム起動処理については後述する。
【００４０】
制御部１０は、区分手段により、第１のディスプレイ１３ａ及び第２のディスプレイ１３ｂにおける表示領域を、ステップＳ１０３にて起動されたメインシステム用の表示領域１８ｂ（第１の表示領域）、ステップＳ１０５にて起動されたアドシステム用の表示領域１８ｃ（第２の表示領域）に区分する（Ｓ１０７）。この際、例えば図１０（Ａ）に示すように、第１のディスプレイ１３ａの表示画面において、メインシステム用の表示領域１８ｂ、アドシステム用の表示領域１８ｃが生成される。また、第２のディスプレイ１３ｂの表示画面は全体がアドシステム用の表示領域１８ｃに設定される。
【００４１】
制御部１０は、表示制御手段により、ステップＳ１０７にて生成されたメインシステム用の表示領域１８ｂ（第１の表示領域）に、メインシステムにより生成された画面データ（情報）を表示させる（Ｓ１０９）。また、制御部１０は、表示制御手段により、ステップＳ１０９の処理と並行させるようにして、ステップＳ１０７にて生成されたアドシステム用の表示領域１８ｃ（第２の表示領域）に、アドシステムにより生成された画面データ（情報）を表示させる（Ｓ１１１）。図１０（Ａ）に示すように、第１のディスプレイ１３ａにおけるアドシステム用の表示領域１８ｃには、ユーザが広告のカテゴリを選択するためのカテゴリ選択欄１８ｄや、広告を選択するための広告選択欄１８ｅが表示される。カテゴリ選択欄１８ｄには、「男性」、「女性」、「年齢」、「衣服」などの広告のカテゴリの選択ボタンが羅列される。また、広告表示欄１８ｅには、広告Ａ、広告Ｂ、広告Ｃなどが表示される。第２のディスプレイ１３ｂにおけるアドシステム用の表示領域１８ｃには広告表示欄１８ｅが表示され、すなわち広告Ａ、広告Ｂ、広告Ｃなどの広告情報が表示される。
【００４２】
このようにして携帯端末１は、ユーザにより起動が指示された際に、メインシステムとアドシステムとを同時に起動させるとともに、第１のディスプレイ１３ａ及び第２のディスプレイ１３ｂの表示画面をメインシステム用の表示領域１８ｂとアドシステム用の表示領域１８ｃとに区分して、メインシステム用の表示領域１８ｂにメインシステムにより生成された画面を、アドシステム用の表示領域１８ｃにアドシステムにより生成された画面をそれぞれ表示させる。
【００４３】
次に、携帯端末１がアドシステム起動処理を行う際の手順を、図１１に示すフローチャートに基づいて説明する。携帯端末１の制御部１０は、通信手段により、ステップＳ１０５にてアドシステムが起動された際、アドシステムの制御により、広告提供サーバ２に対して自身の端末ＩＤを含んだ端末情報を送信する（Ｓ２０１）。広告提供サーバ２は、携帯端末１から端末ＩＤを受信すると、この携帯端末１に対して最適な広告情報を返信してくる。
【００４４】
そこで制御部１０は、通信手段により、広告提供サーバ２から広告情報を受信したか否かを判断する（Ｓ２０３）。この際、制御部１０は、所定時間内に広告情報を受信しなかった場合や、広告提供サーバ２からエラー情報を受信した場合に、広告情報を受信しなかったものと判断する。広告情報を受信した場合（Ｓ２０３のＹｅｓ）は、制御部１０は、表示制御手段により、受信した広告情報を表示用データとする（Ｓ２０５）。広告情報を受信しなかった場合（Ｓ２０３のＮｏ）は、制御部１０は、表示制御手段により、記憶部１３に記憶されている広告情報を表示用データとする（Ｓ２０７）。
【００４５】
このようにして携帯端末１は、起動時に広告提供サーバ２から適切に広告情報を受信できた場合にはこの広告情報を表示して、広告情報を受信できなかった場合には、予め保有している広告情報を表示する。
【００４６】
次に、広告提供サーバ２は、携帯端末１から端末情報を受信した場合に、この携帯端末に対して広告情報を提供する広告提供処理を行う。広告提供サーバ２がこの広告提供処理を行う際の手順について、図１２に示すフローチャートに基づいて説明する。
【００４７】
広告提供サーバ２の制御部２１は、端末ＩＤを含む端末情報を受信したか否かを判断する（Ｓ３０１）。端末ＩＤを受信していない場合（Ｓ３０１のＮｏ）は、制御部２１はそのまま待機する。端末ＩＤを受信した場合（Ｓ３０１のＹｅｓ）は、制御部２１は、受信した端末ＩＤ、記憶部２３に記憶されている端末リスト情報３０に基づいて、広告情報４０から最適な広告情報を検索する（Ｓ３０３）。
【００４８】
主制御部２１は、広告情報を取得できたか否かを判断する（Ｓ３０５）。この際、制御部２１は、例えば端末ＩＤに対して適応する広告情報が見つかった場合に、広告情報を取得できたものと判断する。広告情報を取得できた場合（Ｓ３０５のＹｅｓ）は、制御部２１は、ステップＳ３０５にて取得した広告情報を携帯端末１に送信する（Ｓ３０７）。広告情報を取得できなかった場合（Ｓ３０５のＮｏ）は、制御部２１は、記憶部２３から予め決められているデフォルトの広告情報を取得して、携帯端末１に送信する（Ｓ３０９）。
【００４９】
このようにして広告提供サーバ２は、携帯端末１から端末ＩＤを受信した際に、この端末に最適な広告情報を検索して、見つかった場合には最適な広告情報を携帯端末１に送信し、見つからなかった場合にはデフォルトの広告情報を送信する。
【００５０】
図１０（Ａ）に示すように、ステップＳ１１１にて携帯端末１のディスプレイ１３ａのアドシステム用の表示領域１８ｃにカテゴリ選択欄１８ｄや広告選択欄１８ｅが表示されると、ユーザは、操作キー１２ａを用いてカテゴリや広告を選択することができる。携帯端末１は、ユーザによりカテゴリや広告が選択された場合、そのユーザ操作に基づいた広告操作制御処理を行う。携帯端末１がこの広告操作制御処理を行う際の手順について、図１３に示すフローチャートに基づいて説明する。
【００５１】
携帯端末１の制御部１０は、カテゴリ選択欄１８ｄからいずれかの操作ボタンが選択されたか否かを判断する（Ｓ４０１）。操作ボタンが選択されていない場合（Ｓ４０１のＮｏ）は、制御部１０はそのまま待機する。
【００５２】
操作ボタンが選択された場合（Ｓ４０１のＹｅｓ）は、制御部１０は、選択された操作ボタンに対応する広告情報を取得するために、広告提供サーバ２に対して広告情報を要求する（Ｓ４０３）。この際、制御部１０は、選択された操作ボタンに関する情報を含んだ要求情報を広告提供サーバ２に対して送信することで、広告情報を要求する。
【００５３】
制御部１０は、広告提供サーバ２から、ステップＳ４０３にて要求した広告情報を受信したか否かを判断する（Ｓ４０５）。広告情報を受信していない場合（Ｓ４０５のＮｏ）は、制御部１０は広告情報を受信するまで待機する。広告情報を受信した場合（Ｓ４０５のＹｅｓ）は、制御部１０は、アドシステム用の表示領域１８ｃ（第２の表示領域）に、受信した広告情報に基づいて生成された広告リストを表示させる（Ｓ４０７）。
【００５４】
例えば図１０（Ｂ）に示すように、ステップＳ４０１にて、カテゴリ選択欄１８ｄにおいて「女性」、「２０代」、「衣服」の選択ボタンが選択された場合、ステップＳ４０３にて、これらの「女性」、「２０代」、「衣服」の情報が携帯端末１から広告提供サーバ２に送信される。その後、ステップＳ４０５にて、携帯端末１が広告提供サーバ２から広告情報を受信すると、ステップＳ４０７にて、携帯端末１の第１のディスプレイ１３ａ及び第２のディスプレイ１３ｂの広告情報選択欄１８ｅに、この広告情報に基づいて生成された広告Ｆ、広告Ｇ、広告Ｈなどの広告リストが表示される。
【００５５】
次に、制御部１０は、広告選択欄１８ｅから広告が選択されたか否かを判断する（Ｓ４０９）。操作ボタンが選択されていない場合（Ｓ４０９のＮｏ）は、制御部１０はそのまま待機する。操作ボタンが選択された場合（Ｓ４０９のＹｅｓ）は、制御部１０は、アドシステム用の表示領域１８ｃ（第２の表示領域）の全面に、選択された広告を表示させる（Ｓ４１１）。
【００５６】
例えば図１０（Ｃ）に示すように、ステップＳ４０９にて、広告選択欄１８ｅにおいて「広告Ｈ」が選択された場合、ステップＳ４１１にて、携帯端末１の第１のディスプレイ１３ａ及び第２のディスプレイ１３ｂの広告情報選択欄１８ｅの全面に、各々この広告Ｈが表示される。またこの際、第１のディスプレイ１３ａの広告Ｈの表示内容には購入ボタン１８ｆが設けられていて、ユーザが広告Ｈにより広告されている商品を購入したい場合には、この購入ボタン１８ｆを選択することによりこの商品の購入画面に遷移させすることができる。
【００５７】
制御部１０は、購入ボタン１８ｆが選択されたか否かを判断する（Ｓ４１３）。購入ボタン１８ｆが選択されていない場合（Ｓ４１３のＮｏ）は、制御部１０はそのまま待機する。操作ボタンが選択された場合（Ｓ４１３のＹｅｓ）は、制御部１０は、第１のディスプレイ１３ａにおいてアドシステム用の表示領域１８ｃ（第２の表示領域）を拡大させる（Ｓ４１５）。この際、制御部１０は、例えばメインシステム用の表示領域１８ｂとアドシステム用の表示領域１８ｃとを区分し直して、アドシステム用の表示領域１８ｃを広くしても良く、または、メインシステム用の表示領域１８ｂの一部をアドシステム用の表示領域１８ｃに変更しても良く、あるいは、メインシステム用の表示領域１８ｂにアドシステムの画面データを重ねて表示させるようにしても良い。
【００５８】
制御部１０は、ステップＳ４１５にて拡大されたアドシステム用の表示領域１８ｃ（第２の表示領域）に、ステップＳ４１３にて購入ボタン選択された広告の購入画面１８ｇを表示させる（Ｓ４１７）。図１０（Ｄ）は、第１のディスプレイ１３ａにおけるメインシステム用の表示領域１８ｂにアドシステムの購入画面１８ｇを重ねて表示させた状態を示す画面図である。図１０（Ｄ）に示すように、購入画面１８ｇには確定ボタン１８ｈが設けられている。ユーザは、この確定ボタン１８ｈを選択することにより、携帯端末１に対して購入確定の指示を出す。
【００５９】
そこで制御部１０は、購入が確定されたか否かを判断する（Ｓ４１９）。この際、制御部１０は、確定ボタン１８ｈが選択されたことに基づいて、購入が確定されたものと判断する。購入が確定されていない場合（Ｓ４１９のＮｏ）は、制御部１０はそのまま待機する。購入が確定された場合（Ｓ４１９のＹｅｓ）は、制御部１０は、携帯端末１の端末ＩＤ、広告Ｈの商品情報を含んだ購入情報を広告提供サーバ２に送信して、購入処理を行う（Ｓ４２１）。
【００６０】
このようにして携帯端末１は、ユーザにより広告情報のカテゴリが選択された場合、そのカテゴリに属する広告情報を広告提供サーバ２に対して要求するとともに、この広告提供サーバ２から広告情報を受信して第１のディスプレイ１３ａ及び第２のディスプレイ１３ｂに表示させる。また携帯端末１は、ユーザによりいずれかの広告が選択された場合、選択された広告を大きく表示させる。さらに携帯端末１は、ユーザにより広告に含まれる商品の購入が指示された場合には、第１のディスプレイ１３ａに購入画面を表示させてユーザに対して購入を促す。
【００６１】
広告提供サーバ２は、ステップＳ４０３にて携帯端末１から広告情報を要求された際に、要求情報を受信すると、その要求された広告情報を携帯端末１に提供する広告提供処理を行う。広告提供サーバ２がこの広告提供処理を行う際の手順について、図１４に示すフローチャートに基づいて説明する。
【００６２】
広告提供サーバ２の制御部２１は、ステップＳ４０３にて送信された要求情報を受信したか否かを判断する（Ｓ５０１）。要求情報を受信していない場合（Ｓ５０１のＮｏ）は、制御部２１はそのまま待機する。要求情報を受信した場合（Ｓ５０１のＹｅｓ）は、制御部２１は、この要求情報により要求された広告情報（要求情報に含まれている選択項目の情報に対応する広告情報）を、広告情報記憶部２３ｂから取得する（Ｓ５０３）。そして制御部２１は、ステップＳ５０３にて取得した広告情報を、携帯端末１に対して送信する（Ｓ５０５）。一方で携帯端末１は、この広告情報を受信して第１のディスプレイ１３ａまたは第２のディスプレイ１３ｂに表示させる。
【００６３】
このようにして広告提供サーバ２は、携帯端末１から広告情報が要求された場合に、記憶部２３に記憶されている広告情報の中から最適な広告情報を抽出して携帯端末１に対して送信する。
【００６４】
また、広告提供サーバ２は、ステップＳ４２１にて携帯端末１から送信された購入情報を受信した際に、その購入情報に基づいて購入制御処理を行う。広告提供サーバ２がこの購入制御処理を行う際の手順について、図１５に示すフローチャートに基づいて説明する。
【００６５】
広告提供サーバ２の制御部２１は、ステップＳ４２１にて送信された購入情報を受信したか否かを判断する（Ｓ６０１）。購入情報を受信していない場合（Ｓ６０１のＮｏ）は、制御部２１はそのまま待機する。購入情報を受信した場合（Ｓ６０１のＹｅｓ）は、制御部２１は、この購入情報に含まれている購入商品の情報に基づいて、ポイントを算出する（Ｓ６０３）。そして制御部２１は、ステップＳ６０３にて算出したポイントの情報を、携帯端末１に対して送信する（Ｓ６０５）。広告提供サーバ２１は、このポイント情報に基づいて携帯端末１の価格を割り引いたり、他の商品の購入を促したりすることができる。
【００６６】
このようにして広告提供サーバ２は、携帯端末１から購入情報を受信した場合に、購入対象の商品に関するポイントを算出して、購入処理を行う。
【００６７】
実施形態として、携帯端末１の起動時にメインシステムとアドシステムとが同時に起動される場合について説明したが、これに限定されず、携帯端末１においてユーザにより所定の操作がされたタイミングでメインシステムとアドシステムとを同時に起動するようにしても良い。
【００６８】
また、実施形態として、携帯端末１が複数のディスプレイ（第１のディスプレイ１３ａ及び第２のディスプレイ１３ｂ）を備えている場合を例に挙げて説明したが、これに限定されず、携帯端末が単一のディスプレイ（例えば第１のディスプレイ１３ａのみ）を備えていても良く、その場合には、第１のディスプレイ１３ａの表示領域を区分してメインシステム用の表示領域１８ｂとアドシステム用の表示領域１８ｃとを生成すると良い。
【００６９】
図１６は、広告提供システム１００において、ディスプレイとして第１のディスプレイ１３ａのみを備えた携帯端末１がメインシステムの画面データとアドシステムの画面データとを同時に表示した場合の第１のディスプレイの表示画面を示す画面図である。図１６に示すように、携帯端末１がメインシステムとアドシステムとを同時に起動した場合に、第１のディスプレイ１３ａの一部の領域（例えば上半分）にメインシステムにより生成された画面が表示され、残りの領域（例えば下半分）にアドシステムにより生成された画面が表示されるようにすると良い。
【００７０】
本発明に係る携帯端末１、広告提供システム１００、携帯端末１の広告提供方法及び広告提供システム１００の広告提供方法によると、広告効率の向上を図ることができるとともに、更なる携帯端末の普及を促進することが可能となる。
【００７１】
携帯端末１において、例えば使用状態で第１のディスプレイ１３ａ、第２のディスプレイ１３ｂが相互に背面を接するように設けられている場合には、ユーザが携帯端末１Ａの正面側でメインシステムを操作している状態であっても、背面側には広告情報が表示されているため、ユーザ以外の第３者に対する広告効果を向上させることができる。
【００７２】
本発明の携帯端末１として携帯電話機を例に挙げて説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯音楽プレイヤー、デジタルカメラ、携帯ゲーム機などの任意の携帯端末であって良い。
【符号の説明】
【００７３】
１００…広告提供システム，１…携帯端末，２…広告提供サーバ，３…第１のネットワーク，３ａ…アクセスポイント，４…ネットワーク，５…ウェブサーバ，１１、２１…制御部，１２…操作入力制御部，１２ａ…操作キー，１３…表示制御部，１３ａ…第１のディスプレイ，１３ｂ…第２のディスプレイ，１４…音声制御部，１５…第１の通信制御部，１５ａ、１６ａ…アンテナ，１６…第２の通信制御部，１７…記憶部，１８ｂ…メインシステム用の表示領域，１８ｃ…アドシステム用の表示領域，１８ｄ…カテゴリ選択欄，１８ｅ…広告選択欄，１８ｆ…購入ボタン，１８ｇ…購入画面，２２…メモリ，２３…記憶部，２３ａ…端末情報記憶部，２３ｂ…広告情報記憶部，２４…通信制御部，３０…端末リスト情報，３１…端末ＩＤ情報，３２…年代情報，３３…性別情報，３４…趣味情報，４０…広告リスト情報，４１…広告ＩＤ情報，４２…対象年齢情報，４３…対象性別情報，４４…対象カテゴリ情報，４５…コンテンツ情報。
【図１】
2011023896.tif 000003
【図２】
2011023896.tif 000004
【図３】
2011023896.tif 000005
【図４】
2011023896.tif 000006
【図５】
2011023896.tif 000007
【図６】
2011023896.tif 000008
【図７】
2011023896.tif 000009
【図８】
2011023896.tif 000010
【図９】
2011023896.tif 000011
【図１０】
2011023896.tif 000012
【図１１】
2011023896.tif 000013
【図１２】
2011023896.tif 000014
【図１３】
2011023896.tif 000015
【図１４】
2011023896.tif 000016
【図１５】
2011023896.tif 000017
【図１６】
2011023896.tif 000018